(57)【要約】【課題】スライダー胴体に変形や破損が生じ難く、軽量で、且つ、製造コストの削減が図れるとともに、静音性に優れたスライダーを提供する。【解決手段】本発明のスライダー(5,6,7)は、合成樹脂製のスライダー胴体(10,10b,10c)と、スライダー胴体(10,10b,10c)を上下から挟持して摺動操作するスライダー操作具(20,20a,20b,20c)とを備える。スライダー操作具(20,20a,20b,20c)は、連結軸部(23)で連結される第１及び第２アーム部(21,22)と、第１及び第２アーム部(21,22)の先端部に配される第１及び第２挟持部(30,30a,50,70;40,60,80)とを有する。【選択図】図１
2016198270.tif 000002
【特許請求の範囲】
【請求項１】
スライドファスナー(1) における左右のエレメント列(4) に取り付けられ、且つ、左右の前記エレメント列(4) に沿って摺動させることにより、前記エレメント列(4) を相互に噛合及び分離させることが可能な合成樹脂製のスライダー胴体(10,10b,10c)を有し、前記スライダー胴体(10,10b,10c)は、上翼部(11,11b,11c)と、前記上翼部(11,11b,11c)と所定の間隔を開けて平行に配される下翼部(12,12b,12c)と、前記上翼部(11,11b,11c)の肩口側端部及び前記下翼部(12,12b,12c)の肩口側端部間を連結する案内柱(13,13c)と、前記上翼部(11,11b,11c)及び下翼部(12,12b,12c)のうちの少なくとも一方の左右側縁部に配されるフランジ部(14,14c)とを備えるスライドファスナー(1) 用スライダー(5,6,7) において、
前記スライダー(5,6,7) は、前記スライダー胴体(10,10b,10c)を上下から挟持して前記エレメント列(4) に対して摺動操作するスライダー操作具(20,20a,20b,20c)を有してなることを特徴とするスライダー。
【請求項２】
前記スライダー操作具(20,20a,20b,20c)は、互いに交差するとともにその交差部分において連結軸部(23)を介して揺動可能に連結される第１アーム部(21)及び第２アーム部(22)と、前記第１アーム部(21)及び第２アーム部(22)の一端部に配される第１グリップ部(24)及び第２グリップ部(25)と、前記第１アーム部(21)及び第２アーム部(22)の他端部に配され、前記スライダー胴体(10,10b,10c)を上下から挟持する第１挟持部(30,30a,50,70)及び第２挟持部(40,60,80)とを有してなる請求項１記載のスライダー。
【請求項３】
前記第１挟持部(30,30a,70) は、前記上翼部(11,11c)の上面全体を支持する上翼支持面(34a,74a) を有し、
前記第２挟持部(40,80) は、前記下翼部(12,12c)の下面全体を支持する下翼支持面(44a) を有してなる、
請求項２記載のスライダー。
【請求項４】
前記上翼部(11,11c)の上面と前記下翼部(12,12c)の下面とは、それぞれ単一の平坦面に形成されてなる請求項３記載のスライダー。
【請求項５】
前記スライダー胴体(10b) は、前記上翼部(11b) の上面及び前記下翼部(12b) の下面の少なくとも一方に凹設された被係合凹部(15)、又は突設された被係合凸部を有し、
前記第１挟持部(50)は、前記上翼部(11b)の上面を支持する上翼支持面(54a) を有し、
前記第２挟持部(60)は、前記下翼部(12b) の下面を支持する下翼支持面(64a) を有し、
前記第１挟持部(50)及び前記第２挟持部(60)の少なくとも一方は、前記被係合凹部(15)又は前記被係合凸部に係合する係合凸部(57,67) 又は係合凹部を有してなる、
請求項２記載のスライダー。
【請求項６】
前記第１挟持部(30,30a,50,70)の前記上翼支持面(34a,54a,74a) は、前記上翼部(11,11b,11c)の上面よりも広い面積を有し、
前記第２挟持部(40,60,80)の前記下翼支持面(44a,64a) は、前記下翼部(12,12b,12c)の下面よりも広い面積を有してなる、
請求項３〜５のいずれかに記載のスライダー。
【請求項７】
前記第１挟持部(30,30a,50,70)の左右側縁部に、前記上翼部(11,11b,11c)の左右側面部を支持する左右の側壁部(35,55,75)が配され、
前記第２挟持部(40,60,80)の左右側縁部に、前記下翼部(12,12b,12c)の左右側面部を支持する左右の側壁部(45,65,85)が配されてなる、
請求項２〜６のいずれかに記載のスライダー。
【請求項８】
前記第１挟持部(30,30a,50,70)における左右の前記側壁部(35,55,75)は、前記第１挟持部(30,30a,50,70)の基端部側に向けて、左右の前記側壁部(35,55,75)間の間隔を漸次拡げる拡幅部(35b) を有し、
前記第２挟持部(40,60,80)における左右の前記側壁部(45,65,85)は、前記第２挟持部(40,60,80)の基端部側に向けて、左右の前記側壁部(45,65,85)間の間隔を漸次拡げる拡幅部(45b) を有してなる、
請求項７記載のスライダー。
【請求項９】
前記第１挟持部(30,30a,50,70)は、前記上翼部(11,11b,11c)の後面を支持する後壁部(36,56,76)を有し、
前記第２挟持部(40,60,80)は、前記下翼部(12,12b,12c)の後面を支持する後壁部(46,66,86)を有してなる、
請求項２〜８のいずれかに記載のスライダー。
【請求項１０】
前記第１挟持部(30,30a,50,70)及び第２挟持部(40,60,80)のうちの少なくとも一方は、前記スライダー胴体(10,10b,10c)の前記フランジ部(14,14c)を外側から支持する左右のフランジ規制部(45d,75d) を有してなる請求項２〜９のいずれかに記載のスライダー。
【請求項１１】
前記第１挟持部(30,30a,50,70)及び第２挟持部(40,60,80)は、前記第１アーム部(21)及び第２アーム部(22)にそれぞれ取り外し可能に取着されてなる請求項２〜１０のいずれかに記載のスライダー。
【請求項１２】
前記第１挟持部(30,30a,50,70)及び第２挟持部(40,60,80)は、それぞれの幅方向における寸法を先端部に向けて漸減させるテーパー状の形態を有してなる請求項２〜１１のいずれかに記載のスライダー。
【請求項１３】
スライダー胴体(10,10b,10c)を摺動操作するスライダー操作具(20,20a,20b,20c)において、
互いに交差するとともにその交差部分において連結軸部(23)を介して揺動可能に連結される第１アーム部(21)及び第２アーム部(22)と、前記第１アーム部(21)及び第２アーム部(22)の一端部に配される第１グリップ部(24)及び第２グリップ部(25)と、前記第１アーム部(21)及び第２アーム部(22)の他端部に配され、前記スライダー胴体(10,10b,10c)を上下から挟持する第１挟持部(30,30a,50,70)及び第２挟持部(40,60,80)とを有し、
前記スライダー胴体(10,10b,10c)を、前記第１挟持部(30,30a,50,70)及び第２挟持部(40,60,80)で挟持した状態で摺動させてなる、
ことを特徴とするスライダー操作具。
【発明の詳細な説明】
【技術分野】
【０００１】
本発明は、引手を備えないスライダー胴体を、スライダー胴体とは別体に形成されたスライダー操作具で摺動操作するスライダーに関する。
【背景技術】
【０００２】
スライドファスナーは、一般に、左右のファスナーテープの対向するテープ側縁部にエレメント列がテープ長さ方向に沿って形成された左右一対のファスナーストリンガーと、エレメント列に摺動可能に取着されるスライダーとを有しており、スライダーをエレメント列に沿ってファスナーエレメントの噛合方向又は分離方向に向けて摺動させることにより、スライドファスナーを閉じること又は開くことが可能である。
【０００３】
スライダーは、一般的に、スライダー胴体と、スライダー胴体に回動自在に取着される引手とを有しており、これらのスライダー胴体や引手は、合成樹脂又は金属により形成されている。また、スライダー胴体は、上翼部（上翼板とも言う）と、上翼部から離間するとともに上翼部に平行に配される下翼部（下翼板とも言う）と、上翼部及び下翼部の前端部（肩口側端部）間を連結する案内柱と、上翼板の上面側に設けられる引手取付杆とを備えており、引手は、スライダー胴体の引手取付杆に取り付けられる。
【０００４】
このようなスライダーを有するスライドファスナーでは、スライドファスナーの使用者は、引手を指で摘まみながらスライダーをファスナーエレメントの噛合方向又は分離方向に向けて引っ張ることにより、スライダーを摺動させてスライドファスナーの開閉を行うことができる。すなわち、スライダー胴体に引手が取り付けられていることにより、使用者は、スライダーの摺動操作を容易に且つ安定して行うことができるようになる。
【０００５】
一方、特許第２５２８１６８号明細書（特許文献１）には、介護用衣類に用いられるスライドファスナーとして、引手を持たないスライダー胴体を、スライダー胴体とは別体に形成された引手器具で摺動操作するスライドファスナーが開示されている。
【０００６】
特許文献１に記載されているスライダー胴体の断面図を図１８に示す。このスライダー胴体９０は、胴体主要部９１と、胴体主要部９１に装着されるカバー体９２と、カバー体９２内に保持される板バネ部材９３と、胴体主要部９１に枢支されるとともに板バネ部材９３によって付勢される停止爪体９４とを有するものの、このスライダー胴体９０には引手が取り付けられていない。
【０００７】
特許文献１の胴体主要部９１は、上翼部９１ａ及び下翼部９１ｂと、上翼部９１ａ及び下翼部９１ｂの前端部間を連結する連結柱９１ｃと、上翼部９１ａ及び下翼部９１ｂの左右側縁部に配されるフランジ部９１ｄと、上翼部９１ａの上面における前端部及び後端部に立設される前後一対の取付柱９１ｅとを有する。
【０００８】
この胴体主要部９１の上翼部９１ａ及び下翼部９１ｂ間には、スライドファスナーのエレメント列を挿通させるエレメント案内路が形成されている。また、上翼部９１ａにおける前後一対の取付柱９１ｅ間には、上翼部９１ａの上面側からエレメント案内路に貫通する爪孔９１ｆが形成されている。
【０００９】
カバー体９２は、天井部、前壁部、後壁部、及び左右の側壁部を有しており、カバー体９２の内側は中空に形成されている。また、カバー体９２における左右の側壁部には、引手器具９６の後述するピン９６ｄを挿抜させる図示しない窓部が形成されている。このカバー体９２の天井部には、板バネ部材９３が下方に撓ませた状態で保持されている。
【００１０】
停止爪体９４は、略Ｕ字状の本体部９４ａと、本体部９４ａの一端部から下方に延出する停止爪部９４ｂとを有する。この停止爪体９４は、胴体主要部９１に設けられた前側の取付柱９１ｅに、枢軸９５を介して枢支されている。また、停止爪体９４は、板バネ部材９３によって下方に付勢されることによって、その停止爪部９４ｂを、上翼部９１ａの爪孔９１ｆを介して、エレメント案内路内に突出させている。
【００１１】
このように停止爪体９４の停止爪部９４ｂをエレメント案内路内に突出させることにより、その停止爪部９４ｂを、エレメント案内路内を挿通する図示しないエレメント列のファスナーエレメントに係合させることができ、それによって、スライドファスナーのエレメント列に対してスライダー胴体９０が動かないようにスライダー胴体９０の停止状態を維持することができる。
【００１２】
このような引手を備えないスライダー胴体９０を、エレメント列に沿って摺動操作するための引手器具９６は、図１９に示すように、一対の第１及び第２アーム部９６ａ，９６ｂが連結軸部９６ｃにより揺動可能に連結された鋏状の形態を有する。
【００１３】
これらの第１及び第２アーム部９６ａ，９６ｂは、一端部に配されるグリップ部と、他端部に配される挟持部とをそれぞれ有しており、第１及び第２アーム部９６ａ，９６ｂの挟持部には、内側に向けて突出する一対のピン９６ｄが配されている。また、第１アーム部９６ａと第２アーム部９６ｂの連結軸部９６ｃ近傍には、第１アーム部９６ａのグリップ部と第２アーム部９６ｂのグリップ部とを開く方向に付勢するスプリング９６ｅが配されている。
【００１４】
このような引手器具９６を用いてスライダー胴体９０を摺動操作する場合、先ず、引手器具９６のグリップ部を握って、スプリング９６ｅの付勢力に抗しながら挟持部を相互に接近させるとともに、一対のピン９６ｄをスライダー胴体９０のカバー体９２に近付けて、カバー体９２に設けた左右の窓部に挿入する。それによって、引手器具９６のピン９６ｄを、図１８に仮想線で示したように、停止爪部９４ｂにおける略Ｕ字状の本体部９４ａの内側にセットする。
【００１５】
続いて、引手器具９６のグリップ部を握り締めたまま、引手器具９６でスライダー胴体９０をエレメント列の閉鎖方向又は分離方向に引っ張る。それにより、引手器具９６のピン９６ｄで、停止爪体９４を板バネ部材９３の付勢力に抗して上側に回動させ、停止爪体９４の停止爪部９４ｂをエレメント案内路から退避させる。これにより、停止爪体９４の停止爪部９４ｂとエレメント列のファスナーエレメントとの係合が解除されるため、スライダー胴体９０を閉鎖方向又は分離方向に自由に摺動させることが可能となる。
【００１６】
このような特許文献１のスライドファスナーでは、引手器具９６を用いることによって、停止爪体９４とファスナーエレメントとの係合状態を解除して、スライダー胴体９０をエレメント列に沿って容易に摺動させることができるものの、引手器具９６を用いなければスライダー胴体９０を摺動させることができない。
【００１７】
従って、例えば特許文献１のスライドファスナーが取り付けられた介護用衣類に用いられることにより、その介護用衣類を着た被介護者は、意識的又は無意識的にスライドファスナーを開いて衣類を脱ごうとしても、引手器具９６を用いなければスライダー胴体９０を自由に摺動させることができない。このため、被介護者が、介護用衣類を勝手に脱ぐことを防止することが可能となる。
【００１８】
一方、例えば特開平６−２０９８０９号公報（特許文献２）には、スライドファスナーの左右のエレメント列を噛み合わせる際に、スライダーの代わりに、エレメント噛合用器具を用いることが記載されている。
【００１９】
特許文献２に記載のエレメント噛合用器具（治具）は、ピン（支点）により互いに回動可能に連結された一対の第１及び第２アーム部を有する。第１及び第２アーム部の一端部には、左右のエレメント列を直接挟持する一対の挟持部が配されている。
【００２０】
一対の挟持部の何れか一方には、左右のファスナーエレメントを噛合させる噛合部が形成されている。この噛合部は、左右のエレメント列におけるテープ内方側の側縁に摺接して、左右のエレメント列を互いに接近する方向に案内して噛合させるテーパー状の案内溝と、案内溝内におけるエレメント列案内方向の一端部の中央部に立設された係合ピンとを有する。
【００２１】
このようなエレメント噛合用器具を用いて、スライダーが取着されていない左右のエレメント列を噛合させる場合、エレメント噛合用器具の挟持部で、左右のエレメント列が案内溝内に挿入されるように、分離している左右のエレメント列の端部（噛合始端部）をテープ表裏方向から挟み込むことにより、エレメント列とファスナーテープとを挟持する。
【００２２】
そして、挟持部によるエレメント列及びファスナーテープの挟持状態を保ちながら、エレメント噛合用器具をエレメント列の閉鎖方向に向けて移動させる。これにより、挟持部の噛合部によって左右のファスナーエレメントを順番に噛み合わせて、スライドファスナーを閉鎖することが可能となる。
【００２３】
このような特許文献２のエレメント噛合用器具を用いることにより、スライダーを用いなくても、左右のエレメント列を噛み合わせることが可能となるため、スライドファスナーの構成部材からスライダーを排除することができる。従って、特許文献２によれば、ファスナーが取り付けられたファスナー被着製品において、スライダーが残ることによる嵩張りを防ぐとともに、美観が損なわれることも防止できるとしている。
【先行技術文献】
【特許文献】
【００２４】
【特許文献１】特許第２５２８１６８号明細書
【特許文献２】特開平６−２０９８０９号公報
【発明の概要】
【発明が解決しようとする課題】
【００２５】
スライドファスナーは、衣服や鞄等の開閉部に用いられることが多く、また近年では、自動車等に設置される座席のクッション体を被覆するシートカバー（表皮部材）等にも利用されてきている。
【００２６】
このような座席のシートカバーに取着されるスライドファスナーでは、スライダーを摺動させてスライドファスナーを閉鎖するときに、スライダーで左右のエレメント列を接近させるように引っ張りながらスライダーのエレメント案内路内に引き込んで、ファスナーエレメント同士を噛み合わせる。このため、左右のエレメント列をスライダーのエレメント案内路内で噛合させる際に、左右のエレメント列に、ファスナーテープのテープ幅方向の外側へ向けて引っ張る大きな横引き力や、ファスナーテープのテープ表裏方向に引っ張る（又は押圧する）突き上げ力が加えられ易くなる。
【００２７】
またそれに伴って、左右のエレメント列を噛合させるスライダーにも、閉鎖方向へ摺動するときに、エレメント列やファスナーテープから大きな応力が加えられ易く、また、スライダーのエレメント案内路に余裕があると、エレメント列を形成する各ファスナーエレメントの姿勢が、スライダーのエレメント案内路内で傾くこともある。
【００２８】
従って、シートカバーに用いられる従来のスライドファスナーでは、スライダーのスライダー胴体が合成樹脂で形成されていると、スライダー胴体が左右のエレメント列を噛合させる際に応力（外力）を受けて、スライダー胴体の上翼部及び下翼部が互いに開く方向に変形する（特にスライダー胴体の後口側端部が上下に開くように変形する）ことや、また、スライダー胴体のフランジ部が外側に折れ曲がるように変形すること等の虞がある。このため、スライダーのスライダー胴体は、通常、合成樹脂に比べて強度を安定して確保できる亜鉛などの金属で形成されている。
【００２９】
しかし、スライダー胴体や引手が金属で形成される場合、合成樹脂で形成されている場合に比べて重量が増すため、軽量化やコストパフォーマンス等が重要視される自動車分野においては、スライダーをより軽くすることや、スライドファスナーのコストを低減することが強く求められている。
【００３０】
また、スライダー胴体及び引手が金属製である場合、スライダーの非操作時等において、スライダー胴体と引手とが互いに接触することによって、耳障りな接触音を発生させることがある。特に、スライドファスナーが、上述のような自動車用座席のシートカバーに用いられる場合では、自動車走行時の振動等によってスライダー胴体と引手とが頻繁に接触することや、スライダー胴体や引手がシートフレーム等の他の部材と接触すること等によって接触音が発生して、乗員を不快にさせることがあった。このため、シートカバー等に用いられるスライドファスナーでは、静音性を向上させることも課題の一つとされている。
【００３１】
なお、スライダー胴体と引手の接触音を防いでスライドファスナーの静音性を高めるために、例えば特許文献１に記載されているスライドファスナーのように、図１８に示した引手を持たないスライダー胴体９０をエレメント列に取り付けるとともに、図１９に示した引手器具９６を用いてスライダー胴体９０の摺動操作を行うようにすることが考えられる。
【００３２】
しかし、例えば図１８に示したスライダー胴体９０を金属で形成した場合には、スライダー胴体９０が重くなるという問題があり、一方、スライダー胴体９０を合成樹脂で形成した場合には、スライダー胴体９０の摺動時に求められる適切な強度が確保し難く、スライドファスナーを閉じる際にスライダー胴体９０に変形や破損を生じさせるという問題があった。
【００３３】
また、スライドファスナーの静音性を高めるために、スライダーの代わりに、例えば特許文献２に記載されているようなエレメント噛合用器具を用いることも考えられる。しかし、特許文献２のエレメント噛合用器具を用いて左右のエレメント列を噛合させる場合、スライダーを用いる場合に比べて、スライダーの操作性や噛合動作の安定性が低いため、特許文献２のスライドファスナーを、例えば大きな横引き力や突き上げ力を受け易いシートカバーにそのまま適用することは難しかった。
【００３４】
更に、特許文献２のエレメント噛合用器具を用いるスライドファスナーでは、スライダーが完全に排除されているため、スライドファスナーを完全に閉鎖したときに、エレメント列の開き側の噛合端部において横引き強度や突き上げ強度を確保し難く、スライドファスナーが横引き力等を受けた際に、左右のエレメント列が開き側の噛合端部から簡単に分離するという問題もあった。
【００３５】
本発明は上記従来の課題に鑑みてなされたものであって、その具体的な目的は、自動車用座席のシートカバー等に用いられる場合でも、スライダー胴体をエレメント列を噛合させるように摺動させたときに当該スライダー胴体に変形や破損が生じ難く、また、軽量で、且つ、製造コストの削減が図れるとともに、耳障りな接触音の発生を防止できる静音性に優れたスライドファスナー用スライダーを提供することにある。
【課題を解決するための手段】
【００３６】
上記目的を達成するために、本発明により提供されるスライダーは、スライドファスナーにおける左右のエレメント列に取り付けられ、且つ、左右の前記エレメント列に沿って摺動させることにより、前記エレメント列を相互に噛合及び分離させることが可能な合成樹脂製のスライダー胴体を有し、前記スライダー胴体は、上翼部と、前記上翼部と所定の間隔を開けて平行に配される下翼部と、前記上翼部の肩口側端部及び前記下翼部の肩口側端部間を連結する案内柱と、前記上翼部及び下翼部のうちの少なくとも一方の左右側縁部に配されるフランジ部とを備えるスライドファスナー用スライダーにおいて、前記スライダーは、前記スライダー胴体を上下から挟持して前記エレメント列に対して摺動操作するスライダー操作具を有してなることを最も主要な特徴とするものである。
【００３７】
本発明に係るスライダーにおいて、前記スライダー操作具は、互いに交差するとともにその交差部分において連結軸部を介して揺動可能に連結される第１アーム部及び第２アーム部と、前記第１アーム部及び第２アーム部の一端部に配される第１グリップ部及び第２グリップ部と、前記第１アーム部及び第２アーム部の他端部に配され、前記スライダー胴体を上下から挟持する第１挟持部及び第２挟持部とを有することが好ましい。
【００３８】
この場合、前記第１挟持部は、前記上翼部の上面全体を支持する上翼支持面を有し、前記第２挟持部は、前記下翼部の下面全体を支持する下翼支持面を有することが好ましい。
更に、前記上翼部の上面と前記下翼部の下面とは、それぞれ単一の平坦面に形成されていることが特に好ましい。
【００３９】
一方、前記スライダー胴体は、前記上翼部の上面及び前記下翼部の下面の少なくとも一方に凹設された被係合凹部、又は突設された被係合凸部を有し、前記第１挟持部は、前記上翼部の上面を支持する上翼支持面を有し、前記第２挟持部は、前記下翼部の下面を支持する下翼支持面を有し、前記第１挟持部及び前記第２挟持部の少なくとも一方は、前記被係合凹部又は前記被係合凸部に係合する係合凸部又は係合凹部を更に有していても良い。
【００４０】
また本発明において、前記第１挟持部の前記上翼支持面は、前記上翼部の上面よりも広い面積を有し、前記第２挟持部の前記下翼支持面は、前記下翼部の下面よりも広い面積を有することが好ましい。
【００４１】
本発明に係るスライダーにおいて、前記第１挟持部の左右側縁部に、前記上翼部の左右側面部を支持する左右の側壁部が配され、前記第２挟持部の左右側縁部に、前記下翼部の左右側面部を支持する左右の側壁部が配されていることが好ましい。
【００４２】
この場合、前記第１挟持部における左右の前記側壁部は、前記第１挟持部の基端部側に向けて、左右の前記側壁部間の間隔を漸次拡げる拡幅部を有し、前記第２挟持部における左右の前記側壁部は、前記第２挟持部の基端部側に向けて、左右の前記側壁部間の間隔を漸次拡げる拡幅部を有することが好ましい。
【００４３】
また、本発明に係るスライダーにおいて、前記第１挟持部は、前記上翼部の後面を支持する後壁部を有し、前記第２挟持部は、前記下翼部の後面を支持する後壁部を有することが好ましい。
更に、前記第１挟持部及び第２挟持部のうちの少なくとも一方は、前記スライダー胴体の前記フランジ部を外側から支持する左右のフランジ規制部を有することが好ましい。
【００４４】
本発明のスライダーにおいて、前記第１挟持部及び第２挟持部は、前記第１アーム部及び第２アーム部にそれぞれ取り外し可能に取着されていることが好ましい。
更にまた、前記第１挟持部及び第２挟持部は、それぞれの幅方向における寸法を先端部に向けて漸減させるテーパー状の形態を有することが好ましい。
【００４５】
次に、本発明に係るスライダー操作具は、スライダー胴体を摺動操作するスライダー操作具において、互いに交差するとともにその交差部分において連結軸部を介して揺動可能に連結される第１アーム部及び第２アーム部と、前記第１アーム部及び第２アーム部の一端部に配される第１グリップ部及び第２グリップ部と、前記第１アーム部及び第２アーム部の他端部に配され、前記スライダー胴体を上下から挟持する第１挟持部及び第２挟持部とを有し、前記スライダー胴体を、前記第１挟持部及び第２挟持部で挟持した状態で摺動させてなることを最も主要な特徴とするものである。
【発明の効果】
【００４６】
本発明に係るスライダーは、上翼部及び下翼部から引手を取り付け可能な引手取付部が排除された合成樹脂製のスライダー胴体と、そのスライダー胴体と別体に形成されるとともにスライダー胴体を高さ方向の上下から挟持して摺動操作するスライダー操作具とを有する。
【００４７】
このような本発明のスライダーであれば、スライダー胴体が合成樹脂により形成されているとともに、スライダー胴体は引手を持たない構造を備えるため、スライダー胴体自体を軽量化できる。それと同時に、スライダーを大量生産する際に、一つ一つのスライダー胴体に引手取付柱等の引手取付部を設ける必要がなくなるとともに、引手を製造する必要もなくなるため、スライダーの製造コストを低減できる。更に、本発明のスライダーは、従来のようなスライダー胴体と引手との接触音が発生することもないため、スライドファスナーの静音性を大幅に改善できる。
【００４８】
また、本発明のスライダー胴体は合成樹脂により形成されているものの、そのスライダー胴体を左右のファスナーストリンガーのエレメント列に取着してエレメント列の噛合方向へ摺動させるときに、スライダー胴体を、スライダー操作具で上下から挟持した状態で摺動させることができる。
【００４９】
それにより、スライダー胴体の摺動を安定して行うことができるとともに、例えばスライダー胴体の摺動時にスライダー胴体がエレメント列等から横引き力等の応力を受けるような場合でも、スライダー操作具によってスライダー胴体の上翼部及び下翼部を支持しているため、上翼部及び下翼部に変形や破損が生じることを抑制できる。従って、スライドファスナーを円滑に閉鎖することが可能となる。
【００５０】
特に本発明において、スライダー操作具は、互いに交差するとともにその交差部分において連結軸部を介して揺動可能に連結される第１アーム部及び第２アーム部と、第１アーム部及び第２アーム部の一端部に配される第１グリップ部及び第２グリップ部と、第１アーム部及び第２アーム部の他端部に配され、スライダー胴体を上下から挟持する第１挟持部及び第２挟持部とを有する。
【００５１】
このようなスライダー操作具であれば、スライダー胴体を挟持するときに、スライダー操作具の第１挟持部及び第２挟持部によって、スライダー胴体を容易に挟持できるとともに、スライダー胴体の上翼部及び下翼部を安定して支持できる。従って、スライダー胴体を第１挟持部及び第２挟持部で挟持した状態で、エレメント列の噛合方向へより円滑に摺動させることができ、また、スライダー胴体の摺動時に上翼部及び下翼部に変形や破損が生じることをより効果的に防止できる。
【００５２】
この場合、スライダー操作具の第１挟持部は、スライダー胴体における上翼部の上面全体を支持する上翼支持面を有しており、また、スライダー操作具の第２挟持部は、スライダー胴体における下翼部の下面全体を支持する下翼支持面を有する。これにより、スライダー胴体の摺動時にスライダー胴体の上翼部及び下翼部をより安定して支持し、上翼部及び下翼部に変形や破損が生じることをより効果的に防止することができる。
【００５３】
また、スライダー胴体における上翼部の上面と下翼部の下面とは、それぞれ単一の平坦面に形成されていることにより、引手が不要なスライダー胴体を簡単な構造で形成でき、スライダー胴体のコスト削減をより効果的に実現できる。また、上翼部の上面と下翼部の下面とが平坦面に形成されていれば、スライダー操作具における第１挟持部の上翼支持面と第２挟持部の下翼支持面とで、スライダー胴体を簡単に且つ安定して挟持できる。更に、スライドファスナーに取着されたスライダー胴体が、その他の部材に引っ掛かり難くすることができる。
【００５４】
一方、本発明では、スライダー胴体が、上翼部上面及び下翼部下面の少なくとも一方に凹設された被係合凹部、又は突設された被係合凸部を有するとともに、第１挟持部は上翼部の上面を支持する上翼支持面を有し、第２挟持部は下翼部の下面を支持する下翼支持面を有し、更に、第１挟持部及び第２挟持部の少なくとも一方は、被係合凹部又は被係合凸部に係合する係合凸部又は係合凹部を有していても良い。
【００５５】
このようにスライダー胴体の上翼部及び下翼部に被係合凹部又は被係合凸部が配され、スライダー操作具の第１及び第２挟持部に係合凸部又は係合凹部が配されることにより、スライダー操作具でスライダー胴体を挟持するときに、第１挟持部の上翼支持面及び第２挟持部の下翼支持面でスライダー胴体を支持するとともに、係合凸部又は係合凹部をスライダー胴体の被係合凹部又は被係合凸部を係合させて、スライダー胴体を所定の位置にしっかりと保持することができる。またその後、スライダー操作具でスライダー胴体を引っ張って摺動させるときに、スライダー操作具の係合凸部又は係合凹部がスライダー胴体に引っ掛かるため、スライダー胴体を安定して摺動させることができる。
【００５６】
また、第１挟持部の上翼支持面が、スライダー胴体の上翼部の上面よりも広い面積を有するとともに、第２挟持部の下翼支持面が、スライダー胴体の下翼部の下面よりも広い面積を有することにより、第１挟持部の上翼支持面と第２挟持部の下翼支持面でスライダー胴体をより安定して挟持することができる。特に、スライダー操作具でスライダー胴体を挟み込むときに、第１及び第２挟持部の位置とスライダー胴体の上翼部及び下翼部の位置とを正確に合わせなくても、スライダー操作具でスライダー胴体を容易に挟持できるため、スライダー操作具の操作性が向上してスライダー胴体を効率的に摺動操作でき、また、スライダー操作具を操る作業者の負担を軽減することもできる。
【００５７】
更に本発明において、スライダー操作具における第１挟持部の左右側縁部には、上翼部の左右側面部を支持する左右の側壁部が配されており、第２挟持部の左右側縁部には、下翼部の左右側面部を支持する左右の側壁部が配されている。
【００５８】
これにより、第１及び第２挟持部でスライダー胴体を上下から挟持して摺動させるときに、スライダー胴体の上翼部及び下翼部を、第１挟持部及び第２挟持部の左右側縁部でも支持して、スライダー胴体が第１及び第２挟持部から脱落することを防ぐことができる。従って、第１及び第２挟持部でスライダー胴体をしっかりと保持しながら、スライダー胴体を安定して摺動させることができる。
【００５９】
この場合、第１挟持部における左右の側壁部は、第１挟持部の基端部側に向けて、左右の側壁部間の間隔を漸次拡げるテーパー状の拡幅部を有するとともに、第２挟持部における左右の側壁部は、第２挟持部の基端部側に向けて、左右の側壁部間の間隔を漸次拡げるテーパー状の拡幅部を有する。
【００６０】
これにより、スライダー操作具の第１挟持部及び第２挟持部でスライダー胴体を挟持するときに、第１及び第２挟持部における左右の側壁部間にスライダー胴体の上翼部及び下翼部を誘い込み易くして、それぞれの左右の側壁部間に配される上翼支持面及び下翼支持面で、上翼部の上面及び下翼部の下面を容易に且つ安定して支持することができる。
【００６１】
更にまた、スライダー操作具における第１挟持部は、上翼部の後面を支持する後壁部を有するとともに、記第２挟持部は、下翼部の後面を支持する後壁部を有する。これにより、第１及び第２挟持部で上翼部及び下翼部の後面もしっかり支持でき、スライダー胴体をエレメント列の噛合方向に向けて安定して摺動させることができる。
【００６２】
本発明において、スライダー操作具の第１及び第２挟持部のうちの少なくとも一方は、スライダー胴体のフランジ部を外側から支持する左右のフランジ規制部を有する。これにより、スライダー操作具でスライダー胴体を保持して摺動させるときに、スライダー胴体のフランジ部がエレメント案内路内を通過するエレメント列から応力を受けても、フランジ部に変形や破損が生じることを効果的に防止できるため、スライドファスナーを安定して閉鎖することが可能となる。
【００６３】
また、本発明のスライダー操作具における第１挟持部及び第２挟持部は、第１アーム部及び第２アーム部にそれぞれ取り外し可能に取着されている。これにより、例えば大きさや形状が異なる様々なスライダー胴体に対して、それぞれのスライダー胴体に適合するスライダー操作具を１つ１つ予め用意しなくても、それぞれのスライダー胴体に適合する複数組の第１挟持部及び第２挟持部を用意し、それらの中から適切な第１挟持部及び第２挟持部を選択して第１アーム部及び第２アーム部に付け替えることにより、容易に対応することができる。それにより、作業性の向上や更なるコスト削減を図ることができる。
【００６４】
更に、本発明のスライダー操作具における第１挟持部及び第２挟持部は、それぞれの幅方向における寸法を先端部に向けて（言い換えると、スライダー胴体の摺動方向の分離側に向けて）漸減させるテーパー状の形態を有する。これにより、スライダー操作具でスライダー胴体を挟持するときに、スライダー操作具の第１及び第２挟持部を、エレメント列に取着されたスライダー胴体に向けて挿し込み易くすることができ、スライダー操作具をより使い易くすることができる。
【００６５】
次に、本発明に係るスライダー操作具は、互いに交差するとともにその交差部分において連結軸部を介して揺動可能に連結される第１及び第２アーム部と、第１及び第２アーム部の一端部にそれぞれ配される第１及び第２グリップ部と、第１及び第２アーム部の他端部にそれぞれ配される第１及び第２挟持部とを有する。また、スライダー操作具は、第１及び第２挟持部でスライダー胴体を上下方向から挟持した状態で、そのスライダー胴体をエレメント列に沿って摺動させることが可能に形成されている。
【００６６】
このような本発明のスライダー操作具を用いることにより、引手が取り付けられない構造を備えたスライダー胴体を第１及び第２挟持部で挟持して、エレメント列に沿って容易に且つ安定して摺動させることができる。また、本発明のスライダー操作具を１つ製造すれば、そのスライダー操作具を複数のスライダー胴体に対して同様に使用できるため、引手不要のスライダー胴体を大量に生産するほど、製造コスト削減の効果をより高めることができる。
【図面の簡単な説明】
【００６７】
【図１】本発明の実施例１に係るスライドファスナーを示す斜視図である。
【図２】実施例１のスライダー操作具の全体図である。
【図３】スライダー操作具の第１挟持部を内面側から見た斜視図である。
【図４】第１挟持部を外面側から見た図である。
【図５】第１挟持部を内面側から見た図である。
【図６】スライダー操作具の第２挟持部を内面側から見た斜視図である。
【図７】第２挟持部を外面側から見た図である。
【図８】第２挟持部を内面側から見た図である。
【図９】スライダー操作具の第１及び第２アーム部に対する第１及び第２挟持部の取り付けを説明する説明図である。
【図１０】スライダー操作具でスライダー胴体を挟持するときの位置関係を説明する説明図である。
【図１１】スライダー操作具でスライダー胴体を挟持した状態を説明する説明図である。
【図１２】スライダー操作具に挟持されたスライダー胴体が先端部側に移動する動きを説明する説明図である。
【図１３】実施例１の変形例に係るスライダー操作具の要部を示す拡大図である。
【図１４】本発明の実施例２に係るスライダー胴体及びスライダー操作具を示す断面図である。
【図１５】スライダー操作具でスライダー胴体を挟持した状態を説明する説明図である。
【図１６】本発明の実施例３に係るスライダー胴体及びスライダー操作具を示す断面図である。
【図１７】スライダー操作具でスライダー胴体を挟持した状態を説明する説明図である。
【図１８】従来のスライダー胴体を示す断面図である。
【図１９】従来の引手器具の全体図である。
【発明を実施するための形態】
【００６８】
以下、本発明の好適な実施の形態について、実施例を挙げて図面を参照しながら詳細に説明する。なお、本発明は、以下で説明する実施形態に何ら限定されるものではなく、本発明と実質的に同一な構成を有し、かつ、同様な作用効果を奏しさえすれば、多様な変更が可能である。
【００６９】
例えば、以下の実施例では、本発明のスライダーを備えるスライドファスナーが、ファスナー被着製品として、自動車用座席のシートカバーに取着される場合について説明するが、本発明のスライダーを備えるスライドファスナーは、その他のシートカバーや、シートカバー以外の物品に取り付けることも可能である。
【００７０】
また、以下の実施例で説明するスライダーは、エレメント列がコイル状に連続する複数のファスナーエレメントにより形成されるスライドファスナー用のスライダーとして形成されているが、本発明に係るスライダーは、ファスナーエレメントがファスナーテープに射出成形されることによってエレメント列が形成されるスライドファスナー用のスライダーとして形成されても良い。
【実施例１】
【００７１】
図１は、本実施例１に係るスライドファスナーを示す斜視図であり、図２は、そのスライドファスナーに用いられるスライダー操作具の全体図である。図３〜図５は、スライダー操作具の第１挟持部を示しており、図６〜図８は、スライダー操作具の第２挟持部を示している。
【００７２】
なお、以下の説明において、前後方向とは、ファスナーテープのテープ長さ方向を言い、特に、左右のエレメント列を噛み合わせるときにスライダー胴体を摺動させる方向を前方とし、噛合状態のエレメント列を分離（開離）するときにスライダー胴体を摺動させる方向を後方とする。
【００７３】
また、左右方向とは、ファスナーテープのテープ幅方向を言い、更に、上下方向とは、ファスナーテープのテープ表裏方向を言う。特に、スライドファスナーがファスナー被着部材（シートカバー）に取り付けられたときに、ファスナー被着部材の外面側（又は表面側）となる方向を上方とし、ファスナー被着部材の内面側（又は裏面側）となる方向を下方とする。
【００７４】
本実施例１に係るスライドファスナー１は、自動車用座席のシートカバーに取着されるシートカバー用のスライドファスナーである。特に、本実施例１では、シートカバーの背もたれ部分の背面側に配される背面部分に、スライドファスナー１が直線状に取り付けられている。
【００７５】
このようなシートカバーを、スライドファスナー１が開いた状態で座席のクッション体に被せ、その後、スライドファスナー１の後述するスライダー胴体１０をエレメント列４に沿って噛合方向に摺動させてスライドファスナー１を閉鎖することにより、シートカバーをクッション体に取り付けることが可能である。
【００７６】
このようなシートカバーに取り付けられる本実施例１のスライドファスナー１は、図１に示したように、左右のファスナーテープ３の対向するテープ側縁部に沿ってコイル状のエレメント列４が形成された左右一対のファスナーストリンガー２と、各ファスナーストリンガー２の前端部にエレメント列４に隣接して配される図示しない第１止具（上止具とも言う）と、ファスナーストリンガー２の後端部にエレメント列４に隣接するとともに左右のファスナーテープ３に跨って配される図示しない第２止具（下止具とも言う）と、エレメント列４に沿って摺動可能に配されるスライダー胴体１０とを有する。更に、本実施例１のスライドファスナー１には、スライダー５として、スライダー胴体１０を摺動操作するためのスライダー操作具２０が、スライダー胴体１０とは別途に用意されている。
【００７７】
なお、本実施例１のスライドファスナー１は、スライダー胴体１０とスライダー操作具２０とを備えるスライダー５に主要な特徴を有するものであり、ファスナーストリンガー２と第１及び第２止具とについては、従来のスライドファスナーと実質的に同様に形成されている。
【００７８】
具体的に説明すると、本実施例１における左右のファスナーストリンガー２は、細幅状に織成されたファスナーテープ３と、ファスナーテープ３の対向するテープ側縁部のテープ下面（テープ裏面）側に形成されるエレメント列４とをそれぞれ有する。
【００７９】
すなわち、本実施例１のファスナーストリンガー２は、エレメント列４がファスナー被着製品の内面側に位置するように形成された所謂裏使いスライドファスナー１用のファスナーストリンガー２として形成されている。従って、本実施例１のスライダー５は、裏使いのスライドファスナー１用として形成されている。なお、本発明のスライダーは、後述する実施例３のように、通常タイプの表使いのスライドファスナー用として形成されていても良い。
【００８０】
本実施例１のエレメント列４は、コイル状に連続するファスナーエレメントが、後述する上下脚部間に芯紐を挿通させた状態で、縫製糸の二重環縫いによりファスナーテープ３に縫着されることによって形成されている。なお、本発明では、芯紐を用いずにファスナーエレメントをファスナーテープ３に縫着することによって、エレメント列４を形成することも可能である。
【００８１】
ファスナーテープ３は、衣服等のファスナー被着製品に直接縫い付けられるテープ主体部と、テープ主体部の一側縁側に配され、ファスナーエレメントが縫い付けられるテープ側縁部（エレメント取付部と呼ぶこともある）とを有する。
【００８２】
ファスナーエレメントは、テープ長さ方向にコイル状に連続する形態を有しており、ポリアミドやポリエステル等の熱可塑性樹脂からなるモノフィラメントを所定の間隔で押圧することにより膨大状の噛合頭部を形成するとともに、そのモノフィラメントをコイル状に捲き回すことによって形成されている。
【００８３】
各ファスナーエレメントは、前後方向（テープ長さ方向）に張り出す膨出部を備えた噛合頭部と、その噛合頭部からテープ幅方向のテープ内方に向けて延出する一対の上下脚部と、上脚部又は下脚部におけるテープ内方側の端部を前後方向に隣接するファスナーエレメントの下脚部又は上脚部に連結する連結部（反転部とも言う）とを有する。この場合、ファスナーエレメントの上脚部は、ファスナーテープ３に接する側の脚部であり、下脚部は、ファスナーテープ３から離間して配される側の脚部である。
【００８４】
本実施例１におけるスライダー５は、左右のエレメント列４に摺動可能に取着されるスライダー胴体１０と、そのスライダー胴体１０を挟持して摺動操作するとともに、摺動時にスライダー胴体１０の変形や破損を防ぐことが可能なスライダー操作具２０とを有する。なお、本実施例１のスライダー操作具２０は、別のスライドファスナーに取着されているスライダー胴体であって、本実施例１のスライダー胴体１０と同じ形状及び寸法を有するスライダー胴体にも同様に用いることが可能である。
【００８５】
本実施例１のスライダー胴体１０は、ポリアミド、ポリアセタール、ポリプロピレン、ポリブチレンテレフタレートなどの熱可塑性樹脂を射出成形することにより形成されており、例えば金属製のスライダー胴体に比べて軽量である。このスライダー胴体１０は、上翼部１１と、上翼部１１と所定の間隔を開けて平行に配される下翼部１２と、上翼部１１の肩口側端部（前端部）及び下翼部１２の肩口側端部（前端部）間を連結する案内柱１３と、下翼部１２の左右側縁部から立設されるフランジ部１４とからなり、引手を取り付けることが不能な簡単な構造に形成されている。
【００８６】
特に、スライダー胴体１０における上翼部１１の上面と下翼部１２の下面とには、突出部や凹部等が何も設けられておらず、スライダー胴体１０の上面全体及び下面全体は単一の平坦面に形成されている。すなわち、本実施例１のスライダー胴体１０は、従来の一般的なスライダーのスライダー胴体に配されているような引手取付柱が、上翼部１１にも下翼部１２にも設けられておらず、引手を取り付けることができない形態を有する。
【００８７】
スライダー胴体１０の前端部には、案内柱１３を間に挟んで左右に肩口が形成されており、スライダー胴体１０の後端には後口が形成されている。また、スライダー胴体１０の上下翼部１１，１２間には、左右の肩口と１つの後口とを連通するＹ字状のエレメント案内路が形成されている。更に、スライダー胴体１０の左右側部に配されたフランジ部１４と下翼部１２との間には、ファスナーテープ３を挿通させることが可能なテープ挿通間隙が形成されている。
【００８８】
ここで、スライダー胴体１０の前端部とは、スライダー胴体１０の長さ方向において、スライダー胴体１０の肩口側先端（前端）から後方に向けて上翼板又は下翼板の幅寸法が漸増する領域の部分を指し、例えば、スライダー胴体１０の長さ方向（又は摺動方向）において、スライダー胴体１０の肩口側先端から上翼板又は下翼板の幅寸法が最も大きい部分までの部分を言う。また、スライダー胴体１０の左右側縁部とは、上翼板又は下翼板の幅寸法が最も大きい部分からスライダー胴体１０の後口側先端（後端）までの領域における左側及び右側の端縁部分を言う。
【００８９】
本実施例１におけるスライダー操作具２０は、鋏状又はペンチ状に形成されており、互いに交差する金属製の第１アーム部２１及び第２アーム部２２と、第１アーム部２１及び第２アーム部２２を交差部分で連結する連結軸部２３と、第１アーム部２１の一端部（基端部）に配される第１グリップ部２４と、第１アーム部２１の他端部（先端部）に固定され、スライダー胴体１０の上翼部１１を支持する第１挟持部（上翼挟持部）３０と、第２アーム部２２の一端部（基端部）に配される第２グリップ部２５と、第２アーム部２２の他端部（先端部）に固定され、スライダー胴体１０の下翼部１２を支持する第２挟持部（下翼挟持部）４０とを有する。なお、本発明のスライダー操作具は、スライダー胴体を上下から挟持することが可能であれば、鋏状又はペンチ状の形態ではなく、その他の形態を備えることも可能である。
【００９０】
本実施例１における第１及び第２アーム部２１，２２は、金属により形成されている。また、第１アーム部２１と第２アーム部２２とは、略Ｘ字状に交差するとともに、その交差部分において連結軸部２３によって回動可能に連結されている。これにより、第１及び第２アーム部２１，２２の一端部に配された第１及び第２グリップ部２４，２５間の間隔を拡げたり、狭めたりすることにより、第１及び第２挟持部３０，４０の他端部に固定された第１及び第２挟持部３０，４０間の間隔を拡げたり、狭めたりすることができる。
【００９１】
第１及び第２グリップ部２４，２５は、使用者がスライダー操作具２０を握り易くするとともに滑り難くするために、第１及び第２アーム部２１，２２の一端部をエラストマーで被覆して形成されている。
【００９２】
第１及び第２アーム部２１，２２の各先端部には、図９に示すように、先端部の内面に幅方向に沿って凹設される第１凹部２１ａ，２２ａと、第１凹部２１ａ，２２ａの溝底から先端部の外面側まで穿設され、第１及び第２挟持部３０，４０の固定部材となる後述するボルト２６を螺合するためのネジ孔部２１ｃ，２２ｃと、第１及び第２アーム部２１，２２の第１凹部２１ａ，２２ａよりも先端側の内面に幅方向に沿って凹設される第２凹部２１ｂ，２２ｂとが、第１及び第２挟持部３０，４０を第１及び第２アーム部２１，２２に不動に固定するために設けられている。
【００９３】
スライダー操作具２０の第１挟持部３０は、スライダー操作具２０でスライダー胴体１０を挟持するときに、スライダー胴体１０の上翼部１１を収容して支持する合成樹脂製の部分であり、第１アーム部２１に取り外し可能に取り付けられている。なお、第１挟持部３０は、金属により形成されていても良い。
【００９４】
この第１挟持部３０は、図３〜図５に示したように、上翼部１１を支持する第１挟持本体部３１と、第１挟持本体部３１から第１アーム部２１に沿って連結軸部２３側に延出する第１延出固定部３２とを有する。また、第１挟持本体部３１は、第１延出固定部３２が接続する基端部から先端部に向けて、第１挟持部３０の左右方向における寸法（幅寸法）を漸減させるようなテーパー状の先細形態を有する。更に、第１挟持本体部３１は、第１挟持部３０の長さ方向に平行な中心線を基準に、第１挟持部３０の幅方向に左右対称的に形成されている。
【００９５】
ここで、第１挟持部３０の長さ方向とは、第１アーム部２１に沿った方向を言う。第１挟持部３０の幅方向（左右方向）とは、第１挟持部３０の長さ方向に直交するとともに、第１アーム部２１の回動方向に直交する方向を言う。また、第１挟持部３０の後述する厚さ方向とは、第１挟持部３０の長さ方向及び幅方向に直交する方向を言う。なお、後述する第２挟持部４０の長さ方向、幅方向、及び厚さ方向についても、第１挟持部３０の場合と同様とする。
【００９６】
この第１挟持本体部３１の第２挟持部４０に対向する内面側には、上翼部１１を収容可能な上翼収容凹部３３（第１収容凹部）が設けられている。この場合、第１挟持本体部３１は、上翼支持面３４ａを有する上翼収容凹部３３の底面部３４と、第１挟持本体部３１の左右側縁部に配される左右一対の側壁部３５と、第１挟持本体部３１の先端部に配される後壁部３６とを有しており、上翼収容凹部３３は、底面部３４、左右の側壁部３５、及び後壁部３６に囲まれて形成されている。
【００９７】
上翼収容凹部３３の底面部３４は、上翼部１１における平坦な上面よりも大きな面積を備える単一の平面（内面）を有しており、この底面部３４の平面は、スライダー操作具２０でスライダー胴体１０を挟持するときに上翼部１１の上面全体に接して、上翼部１１を上面側から支持する上翼支持面３４ａとなる。
【００９８】
この場合、上翼支持面３４ａは、上翼部１１が第１挟持本体部３１の後壁部３６に当接したときに上翼部１１の上面を支持する主支持面と、左右の側壁部３５の後述する拡幅部３５ｂに挟まれるように配され、上翼部１１を主支持面に向けて案内する（誘導する）案内面とを有しており、主支持面は、第１挟持本体部３１の後壁部３６と左右の側壁部３５とにより囲まれ、上翼部１１の後半部の上面に対応する形状を備える。
【００９９】
このように上翼収容凹部３３の上翼支持面３４ａが上翼部１１の上面よりも大きいことにより、後述するように第１及び第２挟持部３０，４０でスライダー胴体１０を挟持する際に、スライダー胴体１０の上翼部１１を、大きな上翼収容凹部３３内に容易に挿入して上翼支持面３４ａで安定して支持することができる。
【０１００】
更に、上翼部１１の挿入後にスライダー胴体１０を第１及び第２挟持部３０，４０で挟持した状態で摺動させる際には、上翼部１１を上翼支持面３４ａに摺接させながら、上翼部１１の後端が第１挟持部３０の後壁部３６に当接する位置まで相対的に円滑に移動させて、上翼部１１を上翼支持面３４ａの上述した主支持面の位置で安定して支持することができる（図１１及び図１２を参照）。
【０１０１】
第１挟持本体部３１における左右の側壁部３５は、第１挟持本体部３１の左右側縁部に、上翼支持面３４ａに略直交する方向に延びるとともに、第１挟持本体部３１の先端から基端に亘って連続的に形成されている。
【０１０２】
また、左右の側壁部３５は、第１挟持本体部３１の先端部に配され、上翼部１１の後端縁が第１挟持本体部３１の後壁部３６に当接したときに、同上翼部１１の後端部（後口側端部）における左右側縁に接する又は近接する支持部３５ａと、支持部３５ａから基端部側に延び、左右の側壁部３５間の間隔（言い換えると、上翼支持面３４ａの幅寸法）を基端部に向けて漸次拡げる拡幅部３５ｂとを有する。
【０１０３】
この場合、左右の支持部３５ａは、上翼部１１の後端部における左右側縁の形状に倣って形成される内壁面を有するとともに、左右の支持部３５ａの間隔は、上翼部１１の後端部の幅寸法に対応して設定されている。また、拡幅部３５ｂは、支持部３５ａに接続し、その内壁面が第１挟持部３０の長さ方向に対して傾斜する平面状に形成される第１拡幅部と、その内壁面が第１拡幅部の内壁面から屈曲部を介して形成されるとともに幅方向の外側に向けて緩やかに湾曲する第２拡幅部とを有する。
【０１０４】
第１挟持本体部３１における後壁部３６は、第１挟持本体部３１の先端部に、上翼支持面３４ａに略直交する方向に延びるとともに、第１挟持本体部３１の幅方向に沿って左右の側壁部３５に跨って形成されている。この場合、後壁部３６の内側に内壁面は、平坦に形成されており、スライダー胴体１０を摺動させるときに上翼部１１の後端縁（又は後端面）を当接させて支持する支持面となる。なお、第１挟持本体部３１に左右の側壁部３５が設けられていれば、この後壁部３６を設けずに第１挟持本体部３１を形成しても良い。
【０１０５】
第１挟持部３０の第１延出固定部３２は、第１挟持本体部３１から第１挟持部３０の長さ方向に沿って延びており、この第１延出固定部３２には、ボルト（第１固定部材）２６を挿通させることが可能な固定用孔部３７が第１挟持部３０の厚さ方向に沿って穿設されている。
【０１０６】
この場合、固定用孔部３７は、第１アーム部２１の先端部に設けた螺合部３７ｂの位置に対応する位置に設けられている。また、この固定用孔部３７は、ボルト２６の頭部を嵌入する頭嵌入部３７ａと、頭嵌入部３７ａから連続して形成され、ボルト２６の軸部を螺合させる螺合部３７ｂとを有する。
【０１０７】
また本実施例１において、第１挟持部３０の外面（すなわち、第１挟持本体部３１の外面及び第１延出固定部３２の外面）には、第１アーム部２１の先端部を嵌入可能な嵌入溝部３８が、第１挟持部３０の長さ方向に沿って連続的に凹設されている。
【０１０８】
この場合、嵌入溝部３８は、第１アーム部２１の先端部の内面側の形態に対応する形状を有しており、嵌入溝部３８の溝底面には、第１アーム部２１の先端部に設けた第１及び第２凹部２１ａ，２１ｂに挿入されて係合する第１及び第２突条部３８ａ，３８ｂが、第１挟持部３０の幅方向に沿って設けられている。
【０１０９】
このような第１挟持部３０を第１アーム部２１の先端部に取り付ける場合には、第１挟持部３０に設けられた嵌入溝部３８に、第１アーム部２１の先端部を嵌入する。このとき、第１挟持部３０に設けた第１及び第２突条部３８ａ，３８ｂを、第１アーム部２１の先端部に設けた第１及び第２凹部２１ａ，２１ｂに挿入して係合させるとともに、第１挟持部３０に穿設した固定用孔部３７の位置を、第１アーム部２１の先端部に穿設したネジ孔部２１ｃの位置に合わせる。その後、固定用ボルト２６を、第１挟持部３０の固定用孔部３７から挿し込んで、その固定用孔部３７と第１アーム部２１のネジ孔部２１ｃとに螺合する。これによって、第１挟持部３０が第１アーム部２１の先端部に不動に固定される。
【０１１０】
なお、本実施例１では、第１挟持部３０を第１アーム部２１の先端部に取り付けた後でも、固定用ボルト２６の螺合を外して、ボルト２６を第１アーム部２１及び第１挟持部３０から引き抜くことにより、第１挟持部３０を第１アーム部２１から取り外すことができる。更に、その第１アーム部２１に対し、大きさや形状が異なる別のスライダー胴体に対応したその他の第１挟持部を取り付けることにより、第１挟持部の付け替えを行うことも可能である。なお、本発明では、例えば、第１アーム部２１の先端部に熱可塑性樹脂を射出成形することによって、第１挟持部３０を第１アーム部２１に一体的に形成することも可能である。
【０１１１】
スライダー操作具２０の第２アーム部２２の先端部には、合成樹脂製の第２挟持部４０が、第１挟持部３０に対向するように、取り外し可能に取り付けられている。なお、第２挟持部４０も、第１挟持部３０と同様に金属により形成されていても良い。
【０１１２】
この第２挟持部４０は、図６〜図８に示したように、下翼部１２を支持する第２挟持本体部４１と、第２挟持本体部４１から第２アーム部２２に沿って連結軸部２３側に延出する第２延出固定部４２とを有する。また、第２挟持本体部４１は、第１挟持本体部３１と同様に、基端部から先端部に向けて第２挟持部４０の幅寸法を漸減させるようなテーパー状の先細形態を有するとともに、第２挟持部４０の幅方向に左右対称的に形成されている。
【０１１３】
この第２挟持本体部４１の第１挟持部３０に対向する内面側には、下翼部１２を収容可能な下翼収容凹部（第２収容凹部）４３が設けられている。この場合、第２挟持本体部４１は、下翼支持面４４ａを有する下翼収容凹部４３の底面部４４と、第２挟持本体部４１の左右側縁部に配される左右一対の側壁部４５と、左右の側壁部４５から更に一体的に突出し、スライダー胴体１０の左右フランジ部１４を外側から支持する左右一対のフランジ規制部４５ｄと、第２挟持本体部４１の先端部に配される後壁部４６と、第２挟持本体部４１の基端部に配される隆起部４９とを有しており、下翼収容凹部４３は、底面部４４、左右の側壁部４５、後壁部４６、及び隆起部４９に囲まれて形成されている。
【０１１４】
下翼収容凹部４３の底面部４４は、下翼部１２における平坦な上面よりも大きな面積を備える単一の平面（内面）を有しており、この底面部４４の平面は、スライダー操作具２０でスライダー胴体１０を挟持するときに下翼部１２の下面全体に接して下翼部１２を下面側から支持する下翼支持面４４ａとなる。
【０１１５】
この場合、下翼支持面４４ａは、下翼部１２が第２挟持本体部４１の後壁部４６に当接したときに下翼部１２の下面を支持する主支持面と、左右の側壁部４５の後述する拡幅部４５ｂと隆起部４９とに囲まれて、下翼部１２を主支持面に向けて案内する（誘導する）案内面とを有しており、主支持面は、第２挟持本体部４１の後壁部４６と左右の側壁部４５とにより囲まれ、下翼部１２の後半部の上面に対応する形状を備える。
【０１１６】
このように下翼収容凹部４３の下翼支持面４４ａが下翼部１２の下面よりも大きいことにより、上翼収容凹部３３の上翼支持面３４ａと同様に、スライダー胴体１０の下翼部１２を下翼支持面４４ａで安定して支持することができる。また、スライダー胴体１０を第１及び第２挟持部３０，４０で挟持した状態で摺動させる際に、下翼部１２を下翼支持面４４ａに摺接させながら移動させて、下翼支持面４４ａの上述した主支持面の位置で支持することができる。
【０１１７】
第２挟持本体部４１における左右の側壁部４５は、第２挟持本体部４１の左右側縁部に、下翼支持面４４ａに略直交する方向に延びるとともに、第２挟持本体部４１の先端から基端に亘って連続的に形成されている。
【０１１８】
また、左右の側壁部４５は、第１挟持本体部３１と同様に、第２挟持本体部４１の先端部に配される支持部４５ａと、支持部４５ａから基端部側に延び、左右の側壁部４５間の間隔を基端部に向けて漸次拡げる拡幅部４５ｂとを有する。この場合、左右の支持部４５ａは、下翼部１２の後端部における左右側縁の形状に倣って形成される内壁面を有するとともに、左右の支持部４５ａの間隔は、下翼部１２の後端部の幅寸法に対応して設定されている。
【０１１９】
また、拡幅部４５ｂは、平面状に形成される第１拡幅部と、第１拡幅部の内壁面から屈曲部を介して緩やかに湾曲するように形成される第２拡幅部とを有する。更に、左右の側縁部における基端部側の端部（第２拡幅部の端部）には、左右のファスナーストリンガー２のエレメント列４を誘い込むために切欠き状の誘い込み部４５ｃが設けられている。
【０１２０】
左右のフランジ規制部４５ｄは、側壁部４５の上端に、側壁部４５と同じ幅寸法で側壁部４５に一体的に形成されている。すなわち、フランジ規制部４５ｄは、側壁部４５の一部（上端部）であって、スライダー胴体１０の左右フランジ部１４を外側から支持可能な部分と言い換えることもできる。このため、フランジ規制部４５ｄは、側壁部４５と同様に、先端部に配される支持部と、支持部から延びる拡幅部とを有する。
【０１２１】
第２挟持本体部４１における後壁部４６は、第２挟持本体部４１の先端部に、下翼支持面４４ａに略直交する方向に延びるとともに、第２挟持本体部４１の幅方向に沿って左右の側壁部４５に跨って形成されている。また、この後壁部４６には、スライダー胴体１０を第１及び第２挟持部３０，４０で挟持するときに、噛合状態にある左右のエレメント列４を挿通させることが可能な挿通孔部４６ａが、後壁部４６の上端部（頂端部）に形成されている。なお、第２挟持本体部４１に左右の側壁部４５が設けられていれば、後壁部４６を設けずに第２挟持本体部４１を形成しても良い。
【０１２２】
第２挟持本体部４１における隆起部４９は、第２挟持本体部４１の基端部に左右の側壁部４５に挟まれて配されている。また、隆起部４９の内壁面は、第１挟持部３０側から見たときに半円形状を呈するような湾曲面に形成されており、下翼収容凹部４３の基端部側の壁面を構成している。
【０１２３】
この場合、隆起部４９における底面部４４（下翼支持面４４ａ）からの高さ寸法は、左右の側壁部４５における底面部４４（下翼支持面４４ａ）からの高さ寸法よりも小さく設定されている。この隆起部４９と側壁部４５との高さ寸法の違いにより、スライダー胴体１０を第１及び第２挟持部３０，４０で挟持したときに、隆起部４９の内面側に、ファスナーストリンガー２のエレメント列４が通過可能な隙間を確保することができる。
【０１２４】
第２挟持部４０の第２延出固定部４２は、第２挟持本体部４１から第２挟持部４０の長さ方向に沿って延びており、この第２延出固定部４２には、ボルト（第２固定部材）２６を挿通させることが可能な固定用孔部４７が、第１アーム部２１の先端部に設けたネジ孔部２１ｃの位置に対応する位置に、第２挟持部４０の厚さ方向に沿って穿設されている。この固定用孔部４７は、ボルト２６の頭部を嵌入する頭嵌入部４７ａと、頭嵌入部４７ａから連続して形成され、ボルト２６の軸部を螺合させる螺合部４７ｂとを有する。
【０１２５】
また、第２挟持部４０の外面（すなわち、第２挟持本体部４１の外面及び第２延出固定部４２の外面）には、第１挟持部３０と同様に、第２アーム部２２の先端部を嵌入可能な嵌入溝部４８が、第２挟持部４０の長さ方向に沿って連続的に凹設されている。この嵌入溝部４８の溝底面には、第２アーム部２２の先端部に設けた第１及び第２凹部２２ａ，２２ｂに係合する第１及び第２突条部４８ａ，４８ｂが、第２挟持部４０の幅方向に沿って設けられている。
【０１２６】
このような第２挟持部４０は、固定用ボルト２６を用いて、第２アーム部２２の先端部に不動に取り付けられる。また、第２アーム部２２の先端部には、固定用ボルト２６の螺合を外して、その他の第２挟持部を付け替えることも可能である。なお、本発明では、第２アーム部２２の先端部に熱可塑性樹脂を射出成形することによって、第２挟持部４０を第２アーム部２２に一体的に形成することも可能である。
【０１２７】
次に、本実施例１のスライドファスナー１において、スライダー操作具２０を用いて、スライダー胴体１０をエレメント列４に沿ってスライドファスナー１の閉鎖方向に摺動操作する方法について説明する。
【０１２８】
本実施例１では、シートカバーに取着されたスライドファスナー１が開いている状態で、作業者が、シートカバーを座席のクッション体に被せ、その後、スライドファスナー１のスライダー胴体１０をエレメント列４に沿って噛合方向に摺動させることによって、スライドファスナー１を閉鎖する。
【０１２９】
この場合、作業者は、先ずスライダー操作具２０の第１及び第２グリップ部２４，２５を把持し、図１に示したように、第１挟持部３０と第２挟持部４０とが互いに離れている状態（第１及び第２アームが開いている状態）で、これらの第１及び第２挟持部３０，４０を、スライドファスナー１の開いている側（左右エレメント列４が分離している側）から、スライダー胴体１０に向けて挿入する。
【０１３０】
更に、図１０に示したように、第１及び第２挟持部３０，４０の位置をスライダー胴体１０の位置に合わせる。なお、図１０では、スライダー操作具２０とスライダー胴体１０との位置関係を判り易く表すために、ファスナーストリンガー２の図示を省略している。
【０１３１】
このとき、スライダー操作具２０の第１及び第２挟持部３０，４０は、上述のように先端に向けて幅寸法が小さくなる先細の形態を有するため、第１及び第２挟持部３０，４０をスライダー胴体１０に向けて挿入する際に、第１及び第２挟持部３０，４０がスライドファスナー１やその他の部材に引っ掛かり難くなり、第１及び第２挟持部３０，４０の挿入動作を円滑に行うことができる。
【０１３２】
スライダー操作具２０の第１及び第２挟持部３０，４０をスライダー胴体１０の位置まで挿入した後、第１及び第２グリップ部２４，２５を更に握って互いが接近するように閉じる。これにより、第１及び第２挟持部３０，４０を互いに接近させ、図１１に示したように、第１挟持部３０の上翼収容凹部３３内にスライダー胴体１０の上翼部１１を挿入するとともに、第２挟持部４０の下翼収容凹部４３内にスライダー胴体１０の下翼部１２を挿入しながら、第１及び第２挟持部３０，４０間にスライダー胴体１０を挟み込む。
【０１３３】
本実施例１において、第１挟持部３０の上翼支持面３４ａと第２挟持部４０の下翼支持面４４ａとは、上述したように、スライダー胴体１０の上翼部１１の平坦な上面及び下翼部１２の平坦な下面よりもそれぞれ大きな面積をもって形成されている。
【０１３４】
更に、本実施例１のスライダー操作具２０において、第１及び第２挟持部３０，４０における左右の側壁部３５，４５は、上翼支持面３４ａ及び下翼支持面４４ａの幅寸法が第１及び第２挟持部３０，４０の基端側に向けて大きく拡がるように斜めに傾いて配されているため、第１挟持部３０及び第２挟持部４０は、上翼収容凹部３３及び下翼収容凹部４３の基端部側にスライダー胴体１０が誘い込み易いように形成されている。
【０１３５】
従って、スライダー胴体１０を第１及び第２挟持部３０，４０間に挟み込むときに、第１及び第２挟持部３０，４０の位置を、スライダー胴体１０に対し、スライダー胴体１０が第１挟持部３０の上翼収容凹部３３及び第２挟持部４０の下翼収容凹部４３内に挿入される程度に大まかに合わせれば良く、例えばスライダー胴体１０が、第１及び第２挟持部３０，４０の先端部の位置で後壁部３６，４６に当接するように正確に位置合わせを行う必要はない。これにより、作業者は、スライダー操作具２０の第１及び第２挟持部３０，４０でスライダー胴体１０を挟み込む動作を、容易に且つ迅速に行うことができるため、作業負担を低減するとともに作業効率を向上させることができる。
【０１３６】
また、このように第１及び第２挟持部３０，４０でスライダー胴体１０を挟み込むことにより、第１挟持部３０の平坦な上翼支持面３４ａに、スライダー胴体１０における上翼部１１の平坦な上面の全体を接触させて支持するとともに、第２挟持部４０の平坦な下翼支持面４４ａに、スライダー胴体１０における下翼部１２の平坦な下面の全体を接触させて支持することができる。
【０１３７】
続いて、第１及び第２挟持部３０，４０でスライダー胴体１０を挟み込んだ状態を維持しながら、スライダー操作具２０を動かして、第１及び第２挟持部３０，４０をスライドファスナー１の閉鎖方向に向けてエレメント列４に沿って移動させる。このとき、スライダー胴体１０が、例えば第１挟持部３０の後壁部３６と第２挟持部４０の後壁部４６とに当接していない場合には、停止しているスライダー胴体１０に対し、第１及び第２挟持部３０，４０を相対的に移動させることができる。すなわち、スライダー胴体１０を、第１及び第２挟持部３０，４０の先端部側（第１及び第２挟持部３０，４０の後壁部３６，４６側）に相対移動させることができる。
【０１３８】
この場合、第１及び第２挟持部３０，４０に左右の側壁部３５，４５がそれぞれ設けられているため、スライダー胴体１０の上翼部１１及び下翼部１２を上述の左右の側壁部３５，４５で案内して、図１１及び図１２に示すように、上翼部１１及び下翼部１２を第１挟持部３０の上翼支持面３４ａ及び第２挟持部４０の下翼支持面４４ａにそれぞれ摺接させながら移動させ、上翼部１１の後端縁（後面）及び下翼部１２の後端縁（後面）の全体を、第１挟持部３０の後壁部３６及び第２挟持部４０の後壁部４６にそれぞれ当接させることができる。
【０１３９】
なお、本実施例１では、上翼部１１の後端縁及び下翼部１２の後端縁の全体を第１挟持部３０の後壁部３６及び第２挟持部４０の後壁部４６にそれぞれ当接させることが好ましいが、上翼部１１及び下翼部１２の位置が、第１及び第２挟持部３０，４０の先端部近傍に移動していれば、上翼部１１及び下翼部１２が第１挟持部３０の後壁部３６及び第２挟持部４０の後壁部４６に完全に当接していなくても良い。
【０１４０】
また本実施例１では、スライダー胴体１０の上翼部１１及び下翼部１２が、第１挟持部３０の後壁部３６及び第２挟持部４０の後壁部４６に当接するまで移動することにより、上翼部１１の後半部における左右側縁（又は左右の側面）を第１挟持部３０の左右側壁部３５に当接させるとともに、下翼部１２の後半部における左右側縁（又は左右の側面）を第２挟持部４０の左右側壁部４５に当接させることができる。
【０１４１】
これにより、スライダー胴体１０を第１及び第２挟持部３０，４０の先端部における所定の位置で安定して保持でき、上翼部１１の上面全体及び下翼部１２の下面全体を、第１挟持部３０の上翼支持面３４ａ及び第２挟持部４０の下翼支持面４４ａで確実に支持することができる。
【０１４２】
また本実施例１では、スライダー胴体１０の下翼部１２が第２挟持部４０の後壁部４６に当接したときに、下翼部１２に設けられた左右のフランジ部１４を、第２挟持部４０の左右のフランジ規制部４５ｄに当接させて、これらのフランジ規制部４５ｄで外側から支持することができる。
【０１４３】
そして、スライダー胴体１０の上翼部１１、下翼部１２、及び左右のフランジ部１４が、第１及び第２挟持部３０，４０に上述のように支持された状態で、作業者がスライダー操作具２０を引っ張ることにより、第１及び第２挟持部３０，４０をスライドファスナー１の閉鎖方向に向けてエレメント列４に沿って移動させる。
【０１４４】
それにより、スライダー胴体１０が、スライダー操作具２０の第１及び第２挟持部３０，４０における後壁部３６，４６と左右の側壁部３５，４５とから力を受けて引っ張られるため、引手を備えていないスライダー胴体１０を、エレメント列４に沿って閉鎖方向に向けて、円滑に安定して摺動させることができる。
【０１４５】
特に本実施例１では、上述のようにして合成樹脂製のスライダー胴体１０を摺動させるときに、スライダー胴体１０における上翼部１１の上面全体と下翼部１２の下面全体とが、スライダー操作具２０の第１挟持部３０の上翼支持面３４ａと第２挟持部４０の下翼支持面４４ａとにそれぞれ接触して、これら上翼支持面３４ａ及び下翼支持面４４ａによって上下方向から支えられている。
【０１４６】
このため、スライダー胴体１０の上翼部１１及び下翼部１２が、スライダー胴体１０の摺動時にエレメント案内路内を挿通するエレメント列４やファスナーテープ３から横引き力や突き上げ力等を受けることによって、上下翼部１１，１２間の間隔を拡げるような上下方向の外力が加えられても、上述した第１及び第２挟持部３０，４０による上翼部１１及び下翼部１２の支持によって、上翼部１１及び下翼部１２が変形することや、欠け等の破損が生じることを、効果的に防止できる。
【０１４７】
またスライダー胴体１０の摺動時に、スライダー胴体１０における左右のフランジ部１４はスライダー操作具２０の左右のフランジ規制部４５ｄによって外側から支えられている。このため、スライダー胴体１０の左右のフランジ部１４が、エレメント案内路内を通過するエレメント列４やファスナーテープ３から横引き力等の外力を受けても、その外力によって左右のフランジ部１４が変形することや破損することを効果的に防止できる。
【０１４８】
その後、スライダー胴体１０をスライドファスナー１の第１止具に当接するまで摺動させることにより、左右のエレメント列４の全体を互いに噛合させて、スライドファスナー１を完全に閉鎖することができる。また、スライドファスナー１を閉鎖したときに、スライダー胴体１０が左右のエレメント列４の端部に保持されているため、例えば前述の特許文献２のようなスライダー胴体が用いられないスライドファスナー等に比べて、エレメント列４の噛合端部における横引き強度や突き上げ強度を適切に確保することができる。
【０１４９】
なお、上述のように閉鎖したスライドファスナー１を開く場合には、スライダー胴体１０を、スライダー操作具２０ではなく、指で摘まみながら分離方向へ容易に摺動させることによって、左右のエレメント列４を順次分離させることができる。なおこの場合、スライダー胴体１０をスライダー操作具２０で挟持してスライドファスナー１の分離方向に摺動させることによって、スライドファスナー１を開くことも可能である。
【０１５０】
そして本実施例１では、スライドファスナー１を閉鎖した後、シートカバーの背面部分の下端部を内側に折り曲げて、シートカバーとクッション体との間に挿入することによって、スライダー胴体１０を外部から見えないように隠す。これによって、クッション体にシートカバーが被せられた自動車用座席を製造することができる。
【０１５１】
以上に説明したように、本実施例１のスライダー胴体１０は合成樹脂からなるため、金属製のスライダー胴体に比べて軽量に形成されている。
また、本実施例１のスライダー胴体１０には、従来の一般的なスライダーに配される引手や、その引手をスライダー胴体に取り付けるための引手取付部が設けられていない。このため、本実施例１のスライダー胴体１０を、シンプルな形状で形成できるため、スライドファスナー１の大量生産において、スライダー胴体１０を効率的に、且つ、低コストで製造できる。更に、引手を備えないために、スライダー胴体１０と引手の接触音が生じることがなく、静音性に極めて優れたスライドファスナー１を製造できる。
【０１５２】
このように、軽量で、且つ静音性に優れた本実施例１のスライドファスナー１は、自動車用座席用シートカバー等のような自動車分野のファスナー被着製品に、特に好適に用いられる。
【０１５３】
また、スライドファスナー１を閉鎖するときに強い横引き力や突き上げ力を受けるような場合でも、上述のように専用のスライダー操作具２０を用いることにより、合成樹脂製のスライダー胴体１０に、上下翼部１１，１２の後端部が開くような変形や破損を生じさせることや、フランジ部１４に変形や破損を生じさせることを効果的に防止できるとともに、スライダー胴体１０を円滑に摺動させて左右のエレメント列４を安定して噛合させることができる。
【０１５４】
更に、本実施例１では、１つのスライダー操作具２０を用いて、複数のスライドファスナー１に配される各スライダー胴体１０の摺動操作を行うことができるため、ファスナー被着製品を大量生産する際に、スライダー胴体１０における１つ当たりの製造コストを低減できるため、結果的に、ファスナー被着製品のコスト削減を図ることができる。
【０１５５】
なお、本実施例１のスライダー操作具２０では、上述したように、第１及び第２挟持部３０，４０に、第１及び第２アーム部２１，２２に対応する形状の嵌入溝部３８，４８がそれぞれ設けられており、これらの第１及び第２挟持部３０，４０は、嵌入溝部３８，４８に第１及び第２アーム部２１，２２をそれぞれ嵌入した状態で、第１及び第２アーム部２１，２２の先端部に固定用ボルト２６を用いて不動に固定されている。これにより、スライダー操作具２０でスライダー胴体１０を挟持して摺動させるときに、スライダー胴体１０を容易に挟持できるとともに、スライダー操作具２０に対するスライダー胴体１０の向きを安定させることができるため、スライダー操作具２０でスライダー胴体１０をエレメント列４に沿って円滑に摺動させることができる。
【０１５６】
更に本発明では、例えば図１３に変形例に係るスライダー操作具２０ａの要部を示すように、第１挟持部３０ａに設ける嵌入溝部３９と、図示を省略した第２挟持部に設ける嵌入溝部を、第１アーム部２１及び第２アーム部の各先端部よりも幅方向に広く形成するとともに、第１挟持部３０ａ及び第２挟持部を、ピンなどの固定部材２７を用いて、第１アーム部２１及び第２アーム部の各先端部に、スライダー胴体における上翼部の上面及び下翼部の下面と平行に揺動可能又は回転可能に固定することも可能である。
【０１５７】
この場合、第１挟持部３０ａ及び第２挟持部における嵌入溝部３９の溝底面には、前述の実施例１のような第１突条部及び第２突条部が設けられておらず、溝底面が平坦面に形成されている。なお、この変形例に係る第１挟持部３０ａ及び第２挟持部は、上記事項を除いて、実施例１の第１挟持部３０及び第２挟持部４０と同様に形成されている。
【０１５８】
このように第１挟持部３０ａ及び第２挟持部が、第１アーム部２１の先端部及び第２アーム部の先端部にそれぞれ揺動可能又は回転可能に軸支されているスライダー操作具２０ａを用いることにより、例えばスライドファスナー１のエレメント列４が、ファスナー被着製品であるシートカバーに、実施例１のような直線状ではなく、左側又は右側にまがった湾曲状に配されている場合等において、スライダー胴体１０の摺動を円滑に行うことができる。
【０１５９】
すなわち、図１３に示したスライダー操作具２０ａを、スライダー胴体１０を挟持した状態で湾曲状に配されたエレメント列４に沿って動かすことによって、スライダー操作具２０ａの向きを適時細かく変えなくても、第１アーム部２１及び第２アーム部に対して、第１挟持部３０ａ及び第２挟持部の向きと、その第１挟持部３０ａ及び第２挟持部に挟持されているスライダー胴体１０の向きとを、エレメント列４の傾き（湾曲形状）に応じて円滑に変化させながら、スライダー胴体１０をエレメント列４に沿って円滑に摺動させることができる。それによって、湾曲状に配されている左右のエレメント列４を円滑に噛合させて、スライドファスナー１を容易に閉鎖することができるため、スライダー操作具２０ａの操作性を向上させることができる。
【実施例２】
【０１６０】
図１４は、本実施例２に係るスライダー胴体及びスライダー操作具を示す断面図であり、図１５は、スライダー操作具でスライダー胴体を挟持した状態を説明する説明図である。
【０１６１】
本実施例２に係るスライダー６では、スライダー胴体１０ｂにおける上翼部１１ｂの上面及び下翼部１２ｂの下面に被係合凹部１５が形成されており、上翼部１１ｂの上面全体及び下翼部１２ｂの下面全体が平面に形成されておらず、且つ、スライダー操作具２０ｂにおける第１挟持部５０の上翼支持面５４ａ及び第２挟持部６０の下翼支持面６４ａに、上翼部１１ｂ及び下翼部１２ｂの被係合凹部１５に挿入されて係合する係合凸部５７，６７がそれぞれ配されている。
【０１６２】
なお、本実施例２のスライダー６は、上述した被係合凹部１５及び係合凸部５７，６７が形成されていることを除いては、前述した実施例１のスライダー５と同様の構造を有する。従って、本実施例２においては、前述の実施例１に係るスライダー５と実質的に同じ構成を有する部分については同じ符号を用いて表すことによって、その詳細な説明を省略することとする。以下、本実施例２のスライダー６の主な構造について具体的に説明する。
【０１６３】
本実施例２におけるスライダー６は、左右のエレメント列に摺動可能に取着される熱可塑性樹脂製のスライダー胴体１０ｂと、そのスライダー胴体１０ｂを挟持して摺動操作するスライダー操作具２０ｂとを有する。
本実施例２のスライダー胴体１０ｂは、上翼部１１ｂと、上翼部１１ｂと所定の間隔を開けて平行に配される下翼部１２ｂと、上翼部１１ｂ及び下翼部１２ｂの肩口側端部間を連結する案内柱１３と、下翼部１２ｂの左右側縁部から立設されるフランジ部１４とからなり、引手を備えない単純な構造を有する。
【０１６４】
本実施例２の上翼部１１ｂにおける上面側の幅方向中央部分には、被係合凹部（凹陥部）１５が上翼部１１ｂの上面から窪むように凹設されている。この被係合凹部１５は、上翼部１１ｂの前端（肩口側端縁）よりも少し後ろに下がった内側の位置から、上翼部１１ｂの後端（後口側端縁）まで前後方向に沿って形成されている。
【０１６５】
また、被係合凹部１５は、上下方向に沿って略垂直に配される前壁面１５ａと、前壁面１５ａから屈曲部を介して後方に向けて延びる底面と、前壁面１５ａ及び底面の左右両側に配される左壁面及び右壁面とを有する。この場合、被係合凹部１５の底面は、被係合凹部１５における上翼部１１ｂの上面からの深さが後方に向けて漸次浅くなるように、上翼部１１ｂの上面に対して斜めに傾斜する傾斜面に形成されている。
【０１６６】
更に、下翼部１２ｂにおける下面側の幅方向中央部分にも、被係合凹部（凹陥部）１５が下翼部１２ｂの下面から窪むように凹設されている。この下翼部１２ｂの被係合凹部１５は、上翼部１１ｂの被係合凹部１５に対して、上下方向に面対称な形状を有する。
【０１６７】
本実施例２のスライダー操作具２０ｂは、前述の実施例１におけるスライダー操作具２０の第１挟持部３０及び第２挟持部４０を、本実施例２のスライダー胴体１０ｂに対応する合成樹脂製の第１挟持部５０及び第２挟持部６０に付け替えることによって形成されている。
【０１６８】
本実施例２において、第１挟持部５０は、上翼部１１ｂを支持する第１挟持本体部５１と、第１挟持本体部５１から延出する第１延出固定部５２とを有する。また、第１挟持本体部５１は、基端部から先端部に向けて幅寸法を漸減させる先細形態を有するとともに、第１挟持部５０の長さ方向に平行な中心線を基準に左右対称的に形成されている。
【０１６９】
この第１挟持本体部５１は、上翼支持面５４ａを備える底面部５４と、第１挟持本体部５１の左右側縁部に配される左右一対の側壁部５５と、第１挟持本体部５１の先端部に配される後壁部５６とを有する。この場合、第１挟持本体部５１の上翼部１１ｂを収容可能な上翼収容凹部は、底面部５４、左右の側壁部５５、及び後壁部５６に囲まれて形成されている。
【０１７０】
第１挟持本体部５１の底面部５４は、上翼部１１ｂの上面に接して上翼部１１ｂを上面側から支持する上翼支持面５４ａと、その上翼支持面５４ａに突設された係合凸部５７とを有する。また、上翼支持面５４ａは、第１挟持本体部５１の先端部に配される主支持面と、主支持面よりも第１延出固定部５２側に配され、上翼部１１ｂを主支持面に向けて案内する（誘導する）案内面とを有する。
【０１７１】
第１挟持部５０の係合凸部５７は、上翼支持面５４ａの幅方向中央部分に配されている。また、係合凸部５７は、スライダー胴体１０ｂの上翼部１１ｂが第１挟持部５０の後壁部５６に当接したときに、当該係合凸部５７が、スライダー胴体１０ｂの上翼部１１ｂに凹設した被係合凹部１５の前壁面１５ａに当接して係合するように配されている。
【０１７２】
本実施例２の第２挟持部６０は、下翼部１２ｂを支持する第２挟持本体部６１と、第２挟持本体部６１から延出する第２延出固定部６２とを有する。また、第２挟持本体部６１は、基端部から先端部に向けて幅寸法を漸減させる先細形態を有するとともに、第２挟持部６０の長さ方向に平行な中心線を基準に左右対称的に形成されている。
【０１７３】
この第２挟持本体部６１は、下翼支持面６４ａを備える底面部６４と、第２挟持本体部６１の左右側縁部に配される左右一対の側壁部６５と、第２挟持本体部６１の先端部に配される後壁部６６と、第２挟持本体部６１の基端部に配される隆起部６９とを有する。この場合、第２挟持本体部６１の下翼部１２ｂを収容可能な下翼収容凹部が、底面部６４、左右の側壁部６５、後壁部６６、及び隆起部６９に囲まれて形成されている。
【０１７４】
下翼収容凹部の底面部６４は、下翼部１２ｂの下面に接して下翼部１２ｂを下面側から支持する下翼支持面６４ａと、その下翼支持面６４ａに突設された係合凸部６７とを有する。また、下翼支持面６４ａは、第２挟持本体部６１の先端部に配される主支持面と、主支持面よりも第２延出固定部６２側に配され、下翼部１２ｂを主支持面に向けて案内する（誘導する）案内面とを有する。
【０１７５】
第２挟持部６０の係合凸部６７は、スライダー胴体１０ｂの下翼部１２ｂが第２挟持部６０の後壁部６６に当接したときに下翼部１２ｂに凹設した被係合凹部１５の前壁面１５ａに当接して係合するように、下翼支持面６４ａの幅方向中央部分に配されている。
【０１７６】
なお、本実施例２の第１及び第２挟持本体部５１，６１における左右の側壁部５５，６５及び後壁部５６，６６と、第２挟持本体部６１における隆起部６９とは、前述の実施例１における第１及び第２挟持本体部３１，４１の場合と同様に形成されている。
【０１７７】
また、本実施例２の第１及び第２延出固定部５２，６２も、前述の実施例１における第１及び第２延出固定部３２，４２と同様に形成されている。更に、本実施例２の第１及び第２挟持部５０，６０の外面には、前述の実施例１の嵌入溝部３８，４８と同様の嵌入溝部がそれぞれ凹設されている。
【０１７８】
このような本実施例２のスライダー６では、前述の実施例１の場合と同様に、スライダー操作具２０ｂを用いることにより、引手を備えていないスライダー胴体１０ｂを、スライダー操作具２０ｂの第１及び第２挟持部５０，６０で上下から挟持してエレメント列に沿って閉鎖方向に向けて円滑に摺動させることができる。
【０１７９】
また、そのスライダー胴体１０ｂの摺動時に、スライダー胴体１０ｂをスライダー操作具２０ｂで支持することにより、上翼部１１ｂ、下翼部１２ｂ、及び左右のフランジ部１４に変形や破損が生じることも効果的に防止できる。従って、本実施例２のスライダー６でも、前述の実施例１のスライダー５について説明した効果と同様の作用効果を得ることができる。
【０１８０】
特に本実施例２では、スライダー胴体１０ｂを第１及び第２挟持部５０，６０で挟持したときに、第１及び第２挟持部５０，６０の各係合凸部５７，６７が、図１５に示したように、上翼部１１ｂ及び下翼部１２ｂの各被係合凹部１５に係合して引っ掛かるため、スライダー胴体１０ｂを、スライダー操作具２０ｂでしっかりと挟持しながら、エレメント列に沿って閉鎖方向に向けてより安定して摺動させることができる。
【０１８１】
なお、本実施例２のスライダー６では、スライダー胴体１０ｂの上翼部１１ｂと下翼部１２ｂの両方に被係合凹部１５が設けられているとともに、スライダー操作具２０ｂの第１挟持部５０と第２挟持部６０の両方に係合凸部５７，６７が設けられている。
【０１８２】
しかし、本発明では、上翼部１１ｂと下翼部１２ｂの何れか一方に被係合凹部１５を設けるとともに、その被係合凹部１５が設けられた上翼部１１ｂ又は下翼部１２ｂに対応する第１挟持部５０及び第２挟持部６０の何れかに、係合凸部５７，６７を設けることも可能である。
【０１８３】
更に本発明では、スライダー胴体１０ｂの上翼部１１ｂ及び／又は下翼部１２ｂに、被係合凹部１５ではなく、上翼部１１ｂの上面又は下翼部１２ｂの下面から突出する被係合凸部を設けるとともに、スライダー操作具２０ｂの第１挟持部５０及び／又は第２挟持部６０に、係合凸部５７，６７ではなく、被係合凸部に対応する係合凹部を設けることも可能である。
【実施例３】
【０１８４】
図１６は、本実施例３に係るスライダー胴体及びスライダー操作具を示す断面図であり、図１７は、スライダー操作具でスライダー胴体を挟持した状態を説明する説明図である。
【０１８５】
本実施例３のスライドファスナーは、図示を省略するが、左右のファスナーテープの対向するテープ側縁部のテープ表面にコイル状のエレメント列が形成された左右一対のファスナーストリンガーと、各ファスナーストリンガーの前端部及び後端部にエレメント列に隣接して配される第１止具及び第２止具と、エレメント列に沿って摺動可能に配されるスライダー胴体１０ｃとを有する。更に、本実施例３のスライドファスナーには、スライダー７として、スライダー胴体１０ｃを摺動操作するためのスライダー操作具２０ｃが、スライダー胴体１０ｃとは別途に用意されている。
【０１８６】
この本実施例３における左右のファスナーストリンガーは、エレメント列がファスナー被着製品の外面側に位置するように形成された通常タイプの表使いスライドファスナー用のファスナーストリンガーとして形成されており、本実施例３のスライダー７も、通常タイプの表使いスライドファスナー用として形成されている。
【０１８７】
本実施例３におけるスライダー７は、上述したように、熱可塑性樹脂製のスライダー胴体１０ｃと、そのスライダー胴体１０ｃを挟持して摺動操作するスライダー操作具２０ｃとを有する。
【０１８８】
スライダー胴体１０ｃは、上翼部１１ｃと、上翼部１１ｃと所定の間隔を開けて平行に配される下翼部１２ｃと、上翼部１１ｃの肩口側端部（前端部）及び下翼部１２ｃの肩口側端部（前端部）間を連結する案内柱１３ｃと、上翼部１１ｃの左右側縁部から垂設されるフランジ部１４ｃとからなる。
【０１８９】
特に、本実施例３のスライダー胴体１０ｃは、従来の一般的なスライダー胴体に配されているような引手取付柱が排除されているとともに、従来の一般的なスライダー胴体の後半部分が排除された長さ方向に短い単純な構造に形成されている。
【０１９０】
本実施例３のスライダー操作具２０ｃは、前述の実施例１におけるスライダー操作具２０の第１挟持部３０及び第２挟持部４０を、本実施例３のスライダー胴体１０ｃに対応する合成樹脂製の第１挟持部７０及び第２挟持部８０に付け替えることによって形成されている。
【０１９１】
本実施例３の第１挟持部７０は、上翼部１１ｃを支持する第１挟持本体部７１と、第１挟持本体部７１から延出する第１延出固定部７２とを有する。なお、本実施例３における第１延出固定部７２及び後述する第２延出固定部８２は、前述の実施例１における第１延出固定部３２及び第２延出固定部４２と同様に形成されている。また、第１挟持部７０及び第２挟持部８０の外面には、第１アーム部２１又は第２アーム部２２の先端部を嵌入可能な嵌入溝部が、前述の実施例１の嵌入溝部３８，４８と同様に形成されている。
【０１９２】
本実施例３の第１挟持本体部７１は、上翼支持面７４ａを備える底面部７４と、第１挟持本体部７１の左右側縁部に配される左右一対の側壁部７５と、左右の側壁部７５から更に一体的に突出し、スライダー胴体１０ｃの左右フランジ部１４ｃを外側から支持する左右一対のフランジ規制部７５ｄと、第１挟持本体部７１の先端部に配される後壁部７６と、第１挟持本体部７１の基端部に配される隆起部７９とを有する。この場合、第１挟持本体部７１の上翼部１１ｃを収容可能な上翼収容凹部が、底面部７４、左右の側壁部７５、後壁部７６、及び隆起部７９に囲まれて形成されている。
【０１９３】
第１挟持本体部７１の底面部７４は、上翼部１１ｃにおける平坦な上面よりも大きな面積を備える単一の平面（内面）を上翼支持面７４ａとして有する。この上翼支持面７４ａは、上翼部１１ｃが第１挟持本体部７１の後壁部７６に当接したときに上翼部１１ｃの上面を支持する主支持面と、左右の側壁部７５に挟まれるように配され、上翼部１１ｃを主支持面に向けて案内する（誘導する）案内面とを有する。
【０１９４】
第１挟持本体部７１における左右の側壁部７５は、第１挟持本体部７１の左右側縁部に、上翼支持面７４ａに略直交する方向に延びるとともに、第１挟持本体部７１の先端から基端に亘って連続的に形成されている。
【０１９５】
また、左右の側壁部７５は、第１挟持本体部７１の先端部に配され、上翼部１１ｃの後端縁が第１挟持本体部７１の後壁部７６に当接したときに、同上翼部１１ｃの左右側縁に接する又は近接する支持部と、支持部から基端部側に延び、左右の側壁部７５間の間隔を基端部に向けて漸次拡げる拡幅部とを有する。更に、左右の側縁部の基端部には、左右のファスナーストリンガーのエレメント列を誘い込むために切欠き状の誘い込み部７５ｃが設けられている。
【０１９６】
左右のフランジ規制部７５ｄは、スライダー胴体１０ｃの左右フランジ部１４ｃを外側から支持することが可能なように、各側壁部７５の上端部により形成されており、側壁部７５と一体化されている。
【０１９７】
第１挟持本体部７１における後壁部７６は、第１挟持本体部７１の先端部に、左右の側壁部７５に跨るように幅方向に沿って形成されている。この後壁部７６には、噛合状態にある左右のエレメント列を挿通させることが可能な挿通孔部７６ａが、後壁部７６の上端部（頂端部）に形成されている。
【０１９８】
ここで、例えば従来の一般的なスライダー胴体では、左右のエレメント列を噛合させるときに、同スライダー胴体の後半部分が、エレメント案内路内で噛合したエレメント列の噛合状態を安定させるという機能を備えている。一方、本実施例３におけるスライダー胴体１０ｃは、前述のように、従来の一般的なスライダー胴体の後半部分が排除されて形成されており、長さ方向に短い単純な構造を有するが、本実施例３における第１挟持部７０の後壁部７６が、上述のような挿通孔部７６ａを備えた構造を有する。
【０１９９】
これにより、スライダー操作具２０ｃの第１挟持部７０と第２挟持部８０とでスライダー胴体１０ｃを所定の位置に挟持したときに、第１挟持部７０の後壁部７６が、従来の一般的なスライダー胴体の後半部分の代わりに、エレメント列の噛合状態を安定させる機能を果たすことが可能となる。すなわち、本実施例３では、スライダー胴体１０ｃのエレメント案内路内で噛合したエレメント列が、第１挟持部７０の後壁部７６に設けた挿通孔部７６ａを通過することにより、そのエレメント列の噛合状態を安定させることができる。
【０２００】
第１挟持本体部７１における隆起部７９は、第１挟持本体部７１の基端部に左右の側壁部７５に挟まれるとともに、底面部７４（上翼支持面７４ａ）からの高さ寸法が側壁部７５よりも小さく設定されて配されている。また、隆起部７９の内壁面は、第２挟持部８０側から見たときに半円形状を呈するような湾曲面に形成されている。
【０２０１】
本実施例３の第２挟持部８０は、下翼部１２ｃを支持する第２挟持本体部８１と、第２挟持本体部８１から延出する第２延出固定部８２とを有する。第２挟持本体部８１は、下翼支持面を備える底面部８４と、第２挟持本体部８１の左右側縁部に配される左右一対の側壁部８５と、第２挟持本体部８１の先端部に配される後壁部８６とを有する。この場合、第２挟持本体部８１の下翼部１２ｃを収容可能な下翼収容凹部が、底面部８４、左右の側壁部８５、及び後壁部８６に囲まれて形成されている。
【０２０２】
第２挟持本体部８１の底面部８４は、下翼部１２ｃにおける平坦な下面よりも大きな面積を備える単一の平面（内面）を下翼支持面として有する。この下翼支持面は、下翼部１２ｃが第２挟持本体部８１の後壁部８６に当接したときに下翼部１２ｃの下面を支持する主支持面と、左右の側壁部８５の後述する拡幅部に挟まれるように配され、下翼部１２ｃを主支持面に向けて案内する（誘導する）案内面とを有する。
【０２０３】
第２挟持本体部８１における左右の側壁部８５は、第２挟持本体部８１の左右側縁部に、下翼支持面に略直交する方向に延びるとともに、第２挟持本体部８１の先端から基端に亘って連続的に形成されている。また、左右の側縁部は、第２挟持本体部８１の先端部に配され、下翼部１２ｃの後端縁が第２挟持本体部８１の後壁部８６に当接したときに、同下翼部１２ｃの左右側縁に接する又は近接する支持部と、支持部から基端部側に延び、左右の側壁部８５間の間隔を基端部に向けて漸次拡げる拡幅部とを有する。
【０２０４】
このような本実施例３のスライダー７では、スライダー操作具２０ｃを用いることにより、引手を備えていないスライダー胴体１０ｃを、前述の実施例１の場合と同様に、スライダー操作具２０ｃの第１及び第２挟持部７０，８０で上下から挟持して、エレメント列に沿って閉鎖方向に向けて円滑に摺動させることができる。
【０２０５】
また、そのスライダー胴体１０ｃの摺動時に、スライダー胴体１０ｃをスライダー操作具２０ｃで支持することにより、上翼部１１ｃ、下翼部１２ｃ、及び左右のフランジ部１４ｃに変形や破損が生じることも効果的に防止できる。従って、本実施例３のスライダー７でも、前述の実施例１のスライダー５について説明した効果と同様の作用効果を得ることができる。
【符号の説明】
【０２０６】
１                スライドファスナー
２                ファスナーストリンガー
３                ファスナーテープ
４                エレメント列
５，６，７        スライダー
１０                スライダー胴体
１０ｂ，１０ｃ      スライダー胴体
１１                上翼部
１１ｂ，１１ｃ      上翼部
１２                下翼部
１２ｂ，１２ｃ      下翼部
１３，１３ｃ        案内柱
１４，１４ｃ        フランジ部
１５                被係合凹部（凹陥部）
１５ａ              前壁面
２０，２０ａ        スライダー操作具
２０ｂ，２０ｃ      スライダー操作具
２１                第１アーム部
２１ａ              第１凹部
２１ｂ              第２凹部
２１ｃ              ネジ孔部
２２                第２アーム部
２２ａ              第１凹部
２２ｂ              第２凹部
２２ｃ              ネジ孔部
２３                連結軸部
２４                第１グリップ部
２５                第２グリップ部
２６                ボルト
２７                固定部材
３０，３０ａ        第１挟持部（上翼挟持部）
３１                第１挟持本体部
３２                第１延出固定部
３３                上翼収容凹部（第１収容凹部）
３４                底面部
３４ａ              上翼支持面
３５                側壁部
３５ａ              支持部
３５ｂ              拡幅部
３６                後壁部
３７                固定用孔部
３７ａ              頭嵌入部
３７ｂ              螺合部
３８                嵌入溝部
３８ａ              第１突条部
３８ｂ              第２突条部
３９                嵌入溝部
４０                第２挟持部（下翼挟持部）
４１                第２挟持本体部
４２                第２延出固定部
４３                下翼収容凹部（第２収容凹部）
４４                底面部
４４ａ              下翼支持面
４５                側壁部
４５ａ              支持部
４５ｂ              拡幅部
４５ｃ              誘い込み部
４５ｄ              フランジ規制部
４６                後壁部
４６ａ              挿通孔部
４７                固定用孔部
４７ａ              頭嵌入部
４７ｂ              螺合部
４８                嵌入溝部
４８ａ              第１突条部
４８ｂ              第２突条部
４９                隆起部
５０                第１挟持部
５１                第１挟持本体部
５２                第１延出固定部
５４                底面部
５４ａ              上翼支持面
５５                側壁部
５６                後壁部
５７                係合凸部
６０                第２挟持部
６１                第２挟持本体部
６２                第２延出固定部
６４                底面部
６４ａ              下翼支持面
６５                側壁部
６６                後壁部
６７                係合凸部
６９                隆起部
７０                第１挟持部
７１                第１挟持本体部
７２                第１延出固定部
７４                底面部
７４ａ              上翼支持面
７５                側壁部
７５ｃ              誘い込み部
７５ｄ              フランジ規制部
７６                後壁部
７６ａ              挿通孔部
７９                隆起部
８０                第２挟持部
８１                第２挟持本体部
８２                第２延出固定部
８４                底面部
８５                側壁部
８６                後壁部
【図１】
2016198270.tif 000003
【図２】
2016198270.tif 000004
【図３】
2016198270.tif 000005
【図４】
2016198270.tif 000006
【図５】
2016198270.tif 000007
【図６】
2016198270.tif 000008
【図７】
2016198270.tif 000009
【図８】
2016198270.tif 000010
【図９】
2016198270.tif 000011
【図１０】
2016198270.tif 000012
【図１１】
2016198270.tif 000013
【図１２】
2016198270.tif 000014
【図１３】
2016198270.tif 000015
【図１４】
2016198270.tif 000016
【図１５】
2016198270.tif 000017
【図１６】
2016198270.tif 000018
【図１７】
2016198270.tif 000019
【図１８】
2016198270.tif 000020
【図１９】
2016198270.tif 000021